(57)【要約】【課題】  お弁当の中身を残さず食べてもらえることの動機付けを、スポーツ競技に参加する形で実現することの可能な弁当箱を提供する。【解決手段】  弁当箱本体１におかず用の容器２を配置する形式の弁当箱において、おかず用の容器２を弁当箱本体１内に配置すると、当該容器と弁当箱本体との間に米飯収納用空間１１が設けられるとともに、おかず用の容器２の外側２１と弁当箱本体１の内周面１２との間の米飯収納用空間１１内に、当該米飯収納空間を所定間隔で区切る仕切り部１３を設けて構成され、更に、おかず用の容器又は弁当箱本体には、順に、スタート、あと半分、ゴール等の競技誘導用の表示部３，３を設け、前記仕切り部１３には、ごほうび等の表彰用の表示部４を設けた弁当箱である。【選択図】  図１
2015221092.tif 000002
【特許請求の範囲】
【請求項１】
弁当箱本体１におかず用の容器２を配置する形式の弁当箱において、
前記おかず用の容器２を前記弁当箱本体１内に配置すると、当該容器と弁当箱本体との間に米飯収納用空間１１が設けられるとともに、前記おかず用の容器２の外側２１と前記弁当箱本体１の内周面１２との間の前記米飯収納用空間１１内に、当該米飯収納空間を所定間隔で区切る仕切り部１３を設けて構成され、
更に、前記おかず用の容器又は前記弁当箱本体には、順に、スタート、あと半分、ゴール等の競技誘導用の表示部３，３を設け、前記仕切り部１３には、ごほうび等の表彰用の表示部４を設けたことを特徴とする弁当箱。
【請求項２】
前記仕切り部１３は、前記おかず用の容器２の外側に一体に形成したことを特徴とする請求項１記載の弁当箱。
【請求項３】
前記表示部３，４の一部又は全部を前記おかず用の容器２又は前記弁当箱本体１に一体に形成したことを特徴とする請求項１記載の弁当箱。
【発明の詳細な説明】
【技術分野】
【０００１】
本発明は弁当箱に関し、中身を残さず食べてもらえるように、おかず用の容器に趣向を凝らした弁当箱に関するものである。
【背景技術】
【０００２】
従来、お弁当の中身を残さず食べてもらうことを企図した弁当箱が知られている。この種のものとして、例えば、弁当箱本体の底面に図柄やメッセージを設けておいて、それらを当初は米飯で覆っておき、お弁当を食べていくにしたがって表われて視認可能となり、とりわけ賞賛メッセージがサプライズとして与えられて完食を慫慂するように工夫したものがある（特許文献１）。
【０００３】
また、弁当箱等の食品収納容器に文字、模様、図形、写真等のメッセージ表示部を設け、食事を進めるうちに様々なメッセージを見ることができて食事の楽しみを与えるように工夫したものもある（特許文献２）。
【先行技術文献】
【特許文献】
【０００４】
【特許文献１】実用新案登録第３１７０９１２号公報
【特許文献２】特開２００８−２９５５４号公報
【発明の概要】
【発明が解決しようとする課題】
【０００５】
上記特許文献１及び２の弁当箱においては、図柄やメッセージ等を設けることにより、これらがなかった従来のものに比べて、食が進んだり、完食を促す効果を奏することが期待できるものである。
【０００６】
ところが、上記特許文献１及び２のものは、サプライズ効果を維持させるためには、賞賛メッセージや表示部を多数用意しておかなければならない。すなわち、多数の賞賛メッセージや表示部を用意しておかなければ、言うところのサプライズ効果は一過性のもので終わってしまい、その持続性を維持することができない。
【０００７】
本発明は、上記事情に鑑みてなされたもので、お弁当の中身を残さず食べてもらえることの動機付けを、サプライズ効果ではなく、スポーツ競技に参加する形で実現することを目的とするものである。つまり、「ガンバレ完食お弁当箱」といった弁当箱を提案するものである。
【課題を解決するための手段】
【０００８】
本願第１請求項に記載した発明は、実施例で用いた符号を付して記すと、弁当箱本体１におかず用の容器２を配置する形式の弁当箱において、
前記おかず用の容器２を前記弁当箱本体１内に配置すると、当該容器と弁当箱本体との間に米飯収納用空間１１が設けられるとともに、前記おかず用の容器２の外側２１と前記弁当箱本体１の内周面１２との間の前記米飯収納用空間１１内に、当該米飯収納空間を所定間隔で区切る仕切り部１３を設けて構成され、
更に、前記おかず用の容器又は前記弁当箱本体には、順に、スタート、あと半分、ゴール等の競技誘導用の表示部３，３を設け、前記仕切り部１３には、ごほうび等の表彰用の表示部４を設けたことを特徴とする弁当箱である。
【０００９】
本願第２請求項に記載した発明は、請求項１において、前記仕切り部１３は、前記おかず用の容器２の外側に一体に形成したことを特徴とする弁当箱である。
【００１０】
本願第３請求項に記載した発明は、請求項１において、前記表示部３，４の一部又は全部を前記おかず用の容器２又は前記弁当箱本体１に一体に形成したことを特徴とする弁当箱である。
【発明の効果】
【００１１】
本発明において、弁当箱本体１におかず用の容器２を配置すると、おかず用の容器２の外側２１と前記弁当箱本体１の内周面１２との間には仕切り部１３が設けられているので、この仕切り部１３の存在により、当該容器と弁当箱本体との間には米飯収納用空間１１が設けられる。従って、この空間に米飯を盛る。おかず用の容器２内には、おかずが収納される。更に、おかず用の容器又は弁当箱本体には、順に、スタート、あと半分、ゴール等の競技誘導用の表示部３，３が設けられているので、このお弁当を食べる人に対して、自身が競技場で競技に参加しているような雰囲気を与えることができる。これにより、お弁当の中身を残さず食べてもらえることの動機付けを、スポーツ競技に参加する形で付与することができ、食事の進み具合と自身の競技進行状況とを重ね合わせながら、お弁当を完食する方向で進むこととなり、もってお弁当の中身を残さず食べてもらえる効果を奏することができるものである。
【００１２】
また、本発明において、仕切り部１３は、おかず用の容器２の外側に一体に形成しているので、仕切り部１３とおかず用の容器２を一体的に取り扱うことができて便利である。
【００１３】
また、本発明において、表示部３，４の一部又は全部をおかず用の容器２又は弁当箱本体１に一体に形成しているので、毎回のお弁当の作成に際し都度、表示部を用意する手間が省けて便利である。
【００１４】
このように、本発明によれば、弁当箱をグラウンドや競技場に見立てて、陸上選手がコースを一周すると同じ感覚、趣旨で、盛り付けられたお弁当の米飯、おかずを残さず食べてもらうことができるようになる。更に、ゴールの近傍には「ごほおび」等のコーナーが設けられているので、「スタート」、「あと半分」、「ゴール」を辿って臨場感を高揚させたまま「ごほうび」のコーナーに到着し、選手が表彰されると同様の雰囲気を味合わせることができるものである。
【図面の簡単な説明】
【００１５】
【図１】本発明の実施例に係り、弁当箱本体におかず用の容器を配置した状態を示す外観斜視図である。
【図２】本発明の実施例に係り、おかず用の容器を示す外観斜視図である。
【図３】本発明の実施例に係り、弁当箱本体におかず用の容器を配置した状態を示す平面図である。
【図４】本発明の実施例に係り、弁当箱本体におかず用の容器を配置し、これらに米飯とおかず及び「ごほうび」を収納した状態を示す外観斜視図である。
【発明を実施するための最良の形態】
【００１６】
以下に、本発明の実施例を図面に基づいて説明する。本例の弁当箱は、弁当箱本体１、おかず用の容器２及び、図示を省略した蓋体で構成される。そして、弁当箱本体１に、おかず用の容器２が配置される。
【００１７】
弁当箱本体１に、おかず用の容器２が配置されると、この容器２と弁当箱本体１との間に米飯収納用空間１１が設けられる。すなわち、この米飯収納用空間１１は、おかず用の容器２の外側２１と前記弁当箱本体１の内周面１２との間に設けられる。
【００１８】
更に、おかず用の容器２の外側２１と弁当箱本体１の内周面１２との間の前記米飯収納用空間１１内に、当該米飯収納空間を所定間隔で区切る仕切り部１３を設けている。
【００１９】
この仕切り部１３は、本例の場合、おかず用の容器２の外側２１に突設した一対の突片２２，２２と、弁当箱本体１の内周面１２とで囲まれた空間によって形成されている。
【００２０】
また、一対の突片２２，２２の先端部には、当接片２３が一体形成されている。当接片２３は、本例の場合、縦長矩形状を呈している。この当接片２３を設けた場合は、突片２２が弁当箱本体１の内周面１２に当接した際、当接片２３が縦長矩形状を呈しているので、面接触することとなって、安定した当接状態を実現することができる。尚、仕切り部１３は、上述した構造のものに限られずに、例えば一対の２２，２２の先端部を連設して、閉空間を形成するようにしてもよい。
【００２１】
本例の弁当箱においては、おかず用の容器２の前記仕切り部１３に隣接する外側２１の部位に、「スタート」の表示部３と、容器２の仕切り部１３の反対側に位置する容器内側に「あと半分」の表示部３、そして、おかず用の容器２の前記仕切り部１３に他方側に隣接する外側２１の部位に、「ゴール」の表示部３が、つまり競技誘導用の表示部３，３が、設けられている。更に、おかず用の容器２の前記仕切り部１３に対応する外側２１の部位に、「ごほうび」の表示部４が設けられている。
【００２２】
以上のように構成された本例の弁当箱において、図４に示すように、米飯収納用空間１１に米飯を充填し、容器２におかずを入れ、仕切り部１３には「ごほうび」として、菓子、フルーツ等のデザートや、その他適宜の品物を入れる。
【００２３】
本例の弁当箱によると、米飯及びおかずが入った弁当箱は、あたかもグラウンドや競技場に見立てられて、このお弁当を食べる例えば小学生の児童は、陸上選手がコースを一周すると同じ感覚、趣旨で、盛り付けられたお弁当の米飯を、おかずとともに、「スタート」の箇所から食べ始めることが可能となる。そして、半周の付近では、「あと半分」の表示部に接し、更に食して「ゴール」に到達する。
【００２４】
尚、「スタート」の表示部３のみは露出していて、「あと半分」と「ゴール」の表示部３は食事が進むにつれて露呈するように、米飯やおかずを充填・配置するように工夫することも一興である。
【００２５】
このようにして食して「ゴール」に辿りつくと、そのときには米飯とおかずを残さず食べてもらうこととなる。更に、ゴールの近傍には「ごほうび」のコーナーが設けられているので、「スタート」、「あと半分」、「ゴール」を辿って臨場感を高揚させたまま「ごほうび」のコーナーに到着し、選手が表彰されると同様の雰囲気を味合わせることができ、また、「ごほうび」のコーナーに置かれている菓子、フルーツ等のデザートを楽しむこともできる。
【００２６】
本発明に係る弁当箱は、以上説明した態様のほかに、適宜の形態をとることができるものである。例えば、弁当箱本体、おかず用の容器の材質は適宜のものを用いてよいし、各表示部も実施例のものに限られないし、その表示部を刻印、印刷等、用いる弁当箱の部材や材質に適合させてよく、また、実施例で用いた突片もこの形状、構造に限られないし、他の適宜な部材を設けてもよい。
【産業上の利用可能性】
【００２７】
本発明の弁当箱は、楽しみながら終わりまで食べること動機付けることができるので、食欲増進、健康維持に資することが可能となり、とりわけ幼児や子供等の弁当箱として好適である。
【符号の説明】
【００２８】
１    弁当箱本体
２    おかず用の容器
３    表示部
４    表示部
１１    米飯収納用空間
１２    弁当箱本体の内周面
１３    仕切り部
２１    容器の外側
２２    突片
２３    当接片
【図１】
2015221092.tif 000003
【図２】
2015221092.tif 000004
【図３】
2015221092.tif 000005
【図４】
2015221092.tif 000006